(57)【要約】【課題】電磁波における電波と磁場の両方を遮断することができる電磁波シールドシート２、電磁波シールド上着１、および電磁波シールドカードケース２０を提供する。【解決手段】基材層１１に、フェライト材で構成するフェライト層１２と、炭素材で構成する炭素層１３と、アルミ材で構成するアルミ層１４と、炭素材で構成する炭素層１５とをこの順で重ね合わせて電磁波シールドシート２を構成した。この電磁波シールドシート２により、炭素層１５を保護対象側として、電磁波シールド上着１および電磁波シールドカードケース２０を構成した。【選択図】図２
2007242981.tif 000002
【特許請求の範囲】
【請求項１】
磁性素材で構成する磁性体層と、絶縁素材で構成する絶縁層と、金属素材で構成する金属層とをこの順で重ね合わせた
電磁波シールド材。
【請求項２】
前記磁性体層の前記絶縁層との反対側を、基材に重合させた
請求項１記載の電磁波シールド材。
【請求項３】
前記絶縁層を第１絶縁層とし、
前記金属層の前記絶縁層との反対側に、絶縁素材で構成する第２絶縁層を備えた
請求項１または２記載の電磁波シールド材。
【請求項４】
請求項３記載の電磁波シールド材を用いて、
前記第２絶縁層の前記金属層との反対側を人体側として衣服形状に形成した
電磁波シールド衣服。
【請求項５】
請求項１、２または３記載の電磁波シールド材を用いて、
前記磁性体層を外側にして袋形状に形成した
電磁波シールドケース。
【発明の詳細な説明】
【技術分野】
【０００１】
この発明は、例えば磁界および電界をシールドするような電磁波シールド材、電磁波シールド衣服、および電磁波シールドケースに関する。
【背景技術】
【０００２】
現代社会では、携帯電話機やテレビなどの電波が大気中を飛び交っており、この電波が人体や精密機器に影響を与えることが知られている。また、近年では、磁場を発生させて電磁誘導加熱を行うＩＨ（Induction Heating）クッキングヒーターが提供されており、この磁場が人体や精密機器に影響を与えることも知られている。
【０００３】
このような電波や磁場は、精密機械である心臓ペースメーカーの動作を不安定にさせることがある。このため、心臓ペースメーカーを利用している利用者は、電波や磁場から心臓ペースメーカーを保護する衣服等を必要としてる。
【０００４】
電波を遮断するものとして、例えば心臓ペースメーカー用電磁波シールド材が提案されている（特許文献１参照）。この心臓ペースメーカー用電磁波シールド材は、素材として導電材を用いることで、電波領域の電磁波を遮断できるとされている。
【０００５】
また、電磁波を遮断するものとして、例えば電磁波シールド着衣が提案されている（特許文献２参照）。この電磁波シールド着衣は、エプロンの裏地に銅または銅−すず合金メッキを施すことで、電磁波を遮断できるとされている。
【０００６】
しかし、これらのシールド材は、電波に対して有効であるものの、磁場を有効に遮断できるものではなかった。このため、ＩＨクッキングヒーターなどが放出する磁場から心臓ペースメーカーを守るといったことはできなかった。
【０００７】
【特許文献１】特開２００１−２０４８２８号公報
【特許文献２】特開平８−１１６１９１号公報
【発明の開示】
【発明が解決しようとする課題】
【０００８】
この発明は、上述した問題に鑑み、電磁波における電波と磁場の両方を遮断することができる電磁波シールド材、電磁波シールド衣服、および電磁波シールドケースを提供することを目的とする。
【課題を解決するための手段】
【０００９】
この発明は、磁性素材で構成する磁性体層と、絶縁素材で構成する絶縁層と、金属素材で構成する金属層とをこの順で重ね合わせた電磁波シールド材であることを特徴とする。  
また、前記磁性体層の前記絶縁層との反対側を、基材に重合させることを特徴とする。  
また、前記絶縁層を第１絶縁層とし、前記金属層の前記絶縁層との反対側に、絶縁素材で構成する第２絶縁層を備えることを特徴とする。
【発明の効果】
【００１０】
この発明により、電磁波における電波と磁場の両方を遮断することができる電磁波シールド材、電磁波シールド衣服、および電磁波シールドケースを提供することができる。
【発明を実施するための最良の形態】
【００１１】
この発明の一実施形態を以下図面と共に説明する。  
【実施例１】
【００１２】
図１は、電磁波シールドシート２で形成した電磁波シールド上着１の斜視図を示し、図２は電磁波シールドシート２の断面図を示す。  
この電磁波シールド上着１は、前身ごろ、後ろ見ごろ、右袖、左袖、襟の全てが電磁波シールドシート２で形成されている。
【００１３】
電磁波シールドシート２は、図２の断面図に示すように、基材層１１、フェライト層１２、炭素層１３、アルミ層１４、および炭素層１５をこの順で重合配置している。上述した電磁波シールド上着１は、この電磁波シールドシート２の炭素層１５が保護対象側となる人体側となるように構成している。
【００１４】
基材層１１は、化学繊維または天然繊維など適宜の繊維材で構成している。  
化学繊維としては、再生繊維（レーヨン、キュプラなど）、半合成繊維（アセテート、プロミックスなど）、合成繊維（ナイロン、アラミド、ビニロン、ピリニデン、ポリ塩化ビニル、ポリエステル、アクリル、ポリエチレン、ポリプロピレン、ポリウレタン、ポリクラールなど）、または無機繊維（ガラス、炭素繊維、金属繊維など）といった繊維材を使用できる。  
天然繊維としては、植物繊維（綿、麻など）、または動物繊維（ウール、アンゴラ、カシミヤ、モヘア、キャメル、アルパカ、絹など）といった繊維材を使用できる。
【００１５】
フェライト層１２は、スパッタリングや蒸着によりフェライト材でフィルムをコーティングして形成されたフィルム状の層である。このフェライト層１２は、電気を通しやすい素材で、磁界に置かれると磁化する磁性体で構成することが好ましく、さらに、磁界内に置くと磁化され磁界を除くと磁気が消える常磁性を有する素材が好ましい。本実施の形態では、磁界に置かれて磁界が除かれた際に磁石化されない範囲が広いフェライト材を使用している。つまり、フェライト材は、強い磁界に長時間置かれると磁石化されるが、弱い磁界に短時間置かれても磁石化されない。フェライト材は、この磁石化されずに戻ってこれる磁界の強さや時間の範囲が鉄に比べて広いため、この性質に着目して本実施の形態ではフェライト材を採用している。このフェライト層１２は、低周波の磁界を防止する。  
なお、フェライト層１２は、フェライト材と同様の性質を有する素材として、鉄、ニッケル、またはパーマロイと呼ばれる軟質磁性合金（鉄とニッケルの合金や鉄とニッケルとモリブデンの合金）等で構成してもよい。
【００１６】
炭素層１３は、端素材によりフィルム状に形成された炭素フィルムで構成する層である。この炭素層１３は、磁気を放出する性質を有する絶縁材で構成することが好ましい。本実施の形態では、磁気を放出する素材として炭素を用いている。この炭素層１３は、フェライト層１２とアルミ層１４の帯電、磁気、電界を遮断し、電磁波を吸収する。
【００１７】
アルミ層１４は、アルミ材により形成された層である。このアルミ層１４は、帯電せずに放出する性質を有する金属材で構成することが好ましく、銅や銀などで構成することもできる。本実施の形態では、帯電せずに放出する性質を有し、かつ軽量に形成できるアルミ材により構成している。このアルミ層１４により、１ＭＨｚ〜３ＧＨｚの電界を防止できる。
【００１８】
炭素層１５は、上記炭素層１３と同一の素材で構成されている。炭素層１５は、上記炭素層１３と同様に磁気を放出する性質を有すればよく、炭素層１３と異なる素材で構成してもよい。最も人体側の層を絶縁素材である炭素層１５とすることで、電波や磁場を吸収あるいは反射して、保護対象となる人体に電波や磁場が影響を与えることを最大限防止している。
【００１９】
上述したフェライト層１２、炭素層１３、アルミ層１４、および炭素層１５は、いずれも１，０００オングストローム以上の厚みに形成している。
【００２０】
以上の構成により、電磁波シールドシート２は、電界および磁界の両方を遮断することができる。このため、携帯電話機が放出する８００ＭＨｚ、１．５ＧＨｚ、１．７ＧＨｚ、２ＧＨｚといった電波や、ＩＨクッキングヒーターが放出する周波数２０ｋＨｚ〜９０ｋＨｚの磁界を遮断することができる。
【００２１】
この電磁波シールドシート２で構成した電磁波シールド上着１は、着衣した利用者の人体に電波や磁場が影響を与えることを防止できる。従って、心臓ペースメーカーを使用している利用者が電磁波シールド上着１を着ると、電波や磁場により心臓ペースメーカーの動作が不安定になることを防止できる。
【００２２】
詳述すると、図３（Ａ）に示すように、電磁波シールド上着１を用いない状態で携帯電話による通信を開始すると、心臓ペースメーカーの動作が不安定になり、矢印Ｙに示すように誤作動が生じる。つまり、矢印Ｙのタイミングで心臓ペースメーカーが動作しなければならないにもかかわらず、誤動作によって動作していない。
【００２３】
これに対し、図３（Ｂ）に示すように、電磁波シールド上着１を用いた上体で携帯電話による通信を開始しても、心臓ペースメーカーは安定した動作を行い誤動作を生じない。つまり、携帯電話による通信中と通信前後の波形に変化はなく、心臓ペースメーカーの動作も一定のタイミングで欠けることなく動作している。
【００２４】
このように、電磁波シールドシート２を使用した電磁波シールド上着１により、人体を電波や磁場から保護することができる。
【００２５】
なお、この実施例１では、上着形状の電磁波シールド上着１を形成したが、電磁波シールドシート２を用いて、エプロン、パンツ、スカート、マフラー、手袋、下着など、適宜の衣服を形成することもできる。
【実施例２】
【００２６】
実施例２として、上述した電磁波シールドシート２を用いて、非接触ＩＣカードや磁気カードを収納する電磁波シールドカードケース２０について説明する。
【００２７】
この電磁波シールドカードケース２０は、電磁波シールドシート２で構成される略長方形のシート状の表シート２１と、電磁波シールドシート２で構成される略長方形のシート状の裏シート２２とを、三方の辺近傍を縫合糸２４で縫いつけて、開口部２３を有する袋状に構成している。表シート２１の開口部２３中央には、電波や磁場からの保護対象であるカードＣの取り出しを容易にする取出用溝２５を設けている。
【００２８】
表シート２１と裏シート２２は、いずれも実施例１で説明した炭素層１５が保護対象側となる内側に位置するように構成されている。またこの表シート２１と裏シート２２を構成する電磁波シールドシート２は、基材層１１を実施例１の繊維により構成することも可能であるが、この実施形態では革材（天然革または合成革）により構成している。
【００２９】
以上の構成により、電磁波シールドカードケース２０にカードＣを収納すると、カードＣを電波および磁場から保護することができる。  
従って、カードＣに記憶されている情報が不正に読み取られることを防止できる。この効果は、カードＣが非接触ＩＣ媒体であるような場合に特に有用である。  
また、カードＣを電波や磁気から保護するため、カードＣが磁気カードであるような場合に、磁気ストライプに記憶した磁気データが電波や磁場の影響で読み取れなくなることを防止できる。
【００３０】
なお、この実施例では電磁波シールドカードケース２０として長方形でカードＣが収納できるサイズのケースとしたが、これに限らず適宜のサイズの袋形状に形成して電磁波シールド袋とし、種々の物品を収納できるように構成してもよい。この場合、電波や磁場の影響を受ける精密部品などを、電磁波シールド袋の中に収納して電波や磁場から保護することができる。
【００３１】
この発明の構成と、上述の実施形態との対応において、
この発明の電磁波シールド衣服は、実施形態の電磁波シールド上着１に対応し、
以下同様に、
電磁波シールド材は、電磁波シールドシート２に対応し、
磁性体層は、フェライト層１２に対応し、
第１絶縁層は、炭素層１３に対応し、
金属層は、アルミ層１４に対応し、
第２絶縁層は、炭素層１５に対応し、
電磁波シールドケースは、電磁波シールドカードケース２０に対応し、
磁性素材は、フェライト材に対応し、
絶縁素材は、炭素材に対応し、
金属素材は、アルミ材に対応し、
基材は、繊維材または革材に対応するも、
この発明は、上述の実施形態の構成のみに限定されるものではなく、多くの実施の形態を得ることができる。
【図面の簡単な説明】
【００３２】
【図１】電磁波シールド上着の斜視図。
【図２】電磁波シールドシートの断面図。
【図３】電磁波シールドシートの効果を示す説明図。
【図４】電磁波シールドカードケースの斜視図。
【符号の説明】
【００３３】
１…電磁波シールド上着
２…電磁波シールドシート
１２…フェライト層
１３…炭素層
１４…アルミ層
１５…炭素層
２０…電磁波シールドカードケース
【図１】
2007242981.tif 000003
【図２】
2007242981.tif 000004
【図３】
2007242981.tif 000005
【図４】
2007242981.tif 000006